【手続補正書】
【提出日】平成18年7月13日(2006.7.13)
【手続補正１】
【補正対象書類名】明細書
【補正対象項目名】特許請求の範囲
【補正方法】変更
【補正の内容】
【特許請求の範囲】
【請求項１】
鉛直方向に静磁場を発生する手段と、
前記静磁場に置かれた検査対象に印加する励起ＲＦパルスを発生する手段と、
前記検査対象に印加する傾斜磁場を発生する手段と、
複数のサブコイルを有して、前記検査対象から発生する核磁気共鳴信号を検出する受信コイルとを具備し、
前記複数のサブコイルは、前記静磁場の方向に垂直な面内に配置され前記検査対象の表面の近傍に配置された複数の表面コイルと、前記静磁場の方向に平行な軸を含む面内に配置され前記検査対象の外周に配置された複数のループコイルとを含み、
前記検査対象の任意の撮影断面を定める直交する２軸の何れか一方の軸上で、２個以上の前記サブコイルは不均一な感度分布を有し、少なくとも１個の前記サブコイルは前記任意の撮影断面の任意の位置で感度を有することを特徴とする核磁気共鳴検査装置。
【請求項２】
前記ループコイルの数は３個以上であり、前記表面コイルの数は２個以上であることを特徴とする請求項１記載の核磁気共鳴検査装置。
【請求項３】
前記表面コイルは、複数の前記ループコイルの内側に配置されることを特徴とする請求項１記載の核磁気共鳴検査装置。
【請求項４】
前記表面コイルは、複数の前記ループコイルの外側に配置されることを特徴とする請求項１記載の核磁気共鳴検査装置。
【請求項５】
前記表面コイルが８の字型の表面コイルであることを特徴とする請求項１記載の核磁気共鳴検査装置。
【請求項６】
複数の前記表面コイルは、８の字型の第１の表面コイルと、前記第１の表面コイルとオーバラップする８の字型の第２の表面コイルとを含み、前記第１の表面コイルの出力端と前記第２の表面コイルの出力端がそれぞれが直交する方向に配置されることを特徴とする請求項１記載の核磁気共鳴検査装置。
【請求項７】
前記ループコイルの形状が、四辺形の形状、又は、四辺形の対向する辺の近傍で折り曲げられた形状であることを特徴とする請求項１記載の核磁気共鳴検査装置。
【請求項８】
前記任意の撮影断面の位相エンコード方向の長さの１／Ｎ（Ｎは２以上の整数）の長さを持つ矩形の視野を設定して撮影を行ない、前記撮影により得られた前記検査対象の画像から、前記複数のサブコイルの感度分布の違いに基づいて、折り返しを分離して前記任意の撮影断面の画像を再構成することを特徴とする請求項１記載の核磁気共鳴検査装置。
【請求項９】
直交座標系を（ｘ、ｙ、ｚ）とし、前記鉛直方向にｚ方向を設定した時、前記位相エンコード方向が、ｘ、ｙ、ｚの何れか１つの方向であることを特徴とする請求項８記載の核磁気共鳴検査装置。
【請求項１０】
直交座標系を（ｘ、ｙ、ｚ）とし、鉛直方向にｚ方向を設定し、検査対象の体軸方向をｙ方向として、前記ｚ方向に静磁場を発生する手段と、
前記静磁場に置かれた前記検査対象に印加する励起ＲＦパルスを発生する手段と、
ｘ方向、前記ｙ方向、及び前記ｚ方向に印加する傾斜磁場を発生する手段と、
５以上のサブコイルを有して、前記検査対象から発生する核磁気共鳴信号を検出する受信コイルとを具備し、
前記５以上のサブコイルが、ｘｙ面に平行な第４の面内に配置され前記検査対象の表面の近傍に配置された８の字型の第１の表面コイルと、前記第４の面内に配置され前記第１の表面コイルとオーバラップする８の字型の第２の表面コイルと、
ｘｚ面に平行な第１の面内に配置され前記検査対象の外周に配置された第１のループコイルと、前記第１の面と略４５°の角度で交差する第２の面内に配置され前記検査対象の外周に配置された第２のループコイルと、前記第１の面と略−４５°の角度で交差する第３の面内に配置され前記検査対象の外周に配置された第３のループコイルとを含むことを特徴とする核磁気共鳴検査装置。
【請求項１１】
前記第１、第２及び第３のループコイルの内側に前記第１及び第２の表面コイルが配置されることを特徴とする請求項１０記載の核磁気共鳴検査装置。
【請求項１２】
前記第１、第２及び第３のループコイルの外側に前記第１及び第２の表面コイルが配置されることを特徴とする請求項１０記載の核磁気共鳴検査装置。
【請求項１３】
前記検査対象の任意の撮影断面は直交する２軸により定められることを特徴とする請求項１０記載の核磁気共鳴検査装置。
【請求項１４】
鉛直方向に静磁場を発生する手段と、
前記静磁場に置かれた検査対象に印加する励起ＲＦパルスを発生する手段と、
前記静磁場に置かれた前記検査対象に印加する傾斜磁場を発生する手段と、
５以上のサブコイルを有して、前記検査対象から発生する核磁気共鳴信号を検出する受信コイルとを具備し、
前記５以上のサブコイルが、前記鉛直方向に垂直な面内に配置され前記検査対象の表面の近傍に配置された２個以上の表面コイルと、前記鉛直方向に平行な軸を含む面内に配置され前記検査対象及び前記２個以上の表面コイルの外周に配置された３個以上のループコイルとを含み、前記検査対象の任意の撮影断面を定める直交する２軸の何れか一方の軸上で、２個以上の前記サブコイルは不均一な感度分布を有し、少なくとも１個の前記サブコイルは前記任意の撮影断面の任意の位置で感度を有することを特徴とする核磁気共鳴検査装置。
【請求項１５】
鉛直方向に静磁場を発生する手段と、
前記静磁場に置かれた検査対象に印加する励起ＲＦパルスを発生する手段と、
前記静磁場に置かれた前記検査対象に印加する傾斜磁場を発生する手段と、
５個以上のサブコイルを有して、前記検査対象から発生する核磁気共鳴信号を検出する受信コイルとを具備し、
前記５以上のサブコイルが、前記鉛直方向に垂直な面内に配置され前記検査対象の表面の近傍に配置された２個以上の表面コイルと、前記鉛直方向に平行な軸を含む面内に配置され前記検査対象の外周に配置された３個以上のループコイルとを含むことを特徴とする核磁気共鳴検査装置。
【請求項１６】
前記検査対象の任意の撮影断面を定める直交する２軸の何れか一方の軸上で、２個以上の前記サブコイルは不均一な感度分布を有し、前記サブコイルの少なくとも１つは前記任意の撮影断面の任意の位置で感度を有し、前記軸の何れかに平行な線上で前記サブコイルの不均一な感度分布の少なくとも２個以上は、前記何れかの軸に平行な線上で異なることを特徴とする請求項１５記載の核磁気共鳴検査装置。
【請求項１７】
前記３個以上のループコイルの内側に前記表面コイルが配置されることを特徴とする請求項１５記載の核磁気共鳴検査装置。
【請求項１８】
前記３個以上のループコイルの外側に前記表面コイルが配置されることを特徴とする請求項１５記載の核磁気共鳴検査装置。
【請求項１９】
静磁場に置かれた検査対象に傾斜磁場および励起ＲＦパルスを印加し、受信コイルを用いて前記検査対象から発生する核磁気共鳴信号を検出して、前記検査対象の撮影断面像を得るようにした核磁気共鳴を用いた検査装置にあって、前記受信コイルは、前記静磁場の方向に垂直な軸を含む面内にあって前記検査対象の表面の近傍に配置された複数の第１のサブコイルと、前記静磁場の方向に平行な軸を含み前記検査対象の外周に配置された複数の第２のサブコイルとを具備することを特徴とする核磁気共鳴検査装置。
【請求項２０】
前記第１のサブコイルは表面コイルであり、前記第２のサブコイルはループコイルであり、前記検査対象の任意の撮影断面を定める直交する２軸の何れか一方の軸上で、２個以上の前記サブコイルは不均一な感度分布を有し、少なくとも１個の前記サブコイルは前記任意の撮影断面の任意の位置で感度を有することを特徴とする請求項１９記載の核磁気共鳴検査装置。
【請求項２１】
静磁場に置かれた検査対象に傾斜磁場および励起ＲＦパルスを印加し、受信コイルを用いて前記検査対象から発生する核磁気共鳴信号を検出して、前記検査対象の撮影断面像を得るようにした核磁気共鳴を用いた検査装置であって、前記受信コイルは、前記静磁場の方向に垂直な軸を含む面内にあって前記検査対象の表面の近傍に配置された複数の第１のサブコイルと、前記静磁場の方向に平行な軸を含みそれぞれ互いに異なる面内にあって前記検査対象の外周に配置された複数の第２のサブコイルとを具備することを特徴とする核磁気共鳴検査装置。
【請求項２２】
鉛直方向に静磁場を発生する手段と、
前記静磁場に置かれた検査対象に印加する励起ＲＦパルスを発生する手段と前記検査対象に印加する傾斜磁場を発生する手段と、
前記検査対象から発生する核磁気共鳴信号を検出する受信コイルとを具備し、
前記受信コイルは、前記静磁場の方向に垂直な面内に配置され前記検査対象の表面の近傍に配置された複数の表面コイルと、前記検査対象の外周に配置された複数のコイルとを含むことを特徴とする核磁気共鳴検査装置。
【請求項２３】
鉛直方向に静磁場を発生する手段と、
前記静磁場に置かれた検査対象に印加する励起ＲＦパルスを発生する手段と、
前記検査対象に印加する傾斜磁場を発生する手段と、
複数のサブコイルを有して、かつ前記検査対象から発生する核磁気共鳴信号を検出する受信コイルとを具備し、
前記サブコイルは、前記静磁場の方向に垂直な面内に配置され前記検査対象の表面の近傍に配置された複数の表面コイルと、前記静磁場の方向に平行な軸を含む面内に配置され前記検査対象の外周に配置された複数のループコイルとを含むことを特徴とする核磁気共鳴検査装置。
【請求項２４】
前記複数の表面コイルは前記検査対象を間に挟んで配置され、前記複数のサブコイルは、前記検査対象の任意の撮影断面を定める直交する２軸の何れか一方の軸上で不均一な感度分布を有することを特徴とする請求項１記載の核磁気共鳴検査装置。
【請求項２５】
前記複数のループコイルは前記検査対象を囲み、かつ複数の非平行面内の各々に配置され、前記複数の非平行面の各々は前記静磁場の方向に平行な軸を含むことを特徴とする請求項１記載の核磁気共鳴検査装置。
【請求項２６】
前記複数の第２のサブコイルは前記検査対象を囲み、かつ複数の非平行面内の各々に配置され、前記複数の非平行面の各々は前記静磁場の方向に平行な軸を含むことを特徴とする請求項１９記載の核磁気共鳴検査装置。
【請求項２７】
前記複数の第１のサブコイルのうちの２つ以上の第１のサブコイルは、前記検査対象を間に挟むように配置され、前記複数の第２のサブコイルは、前記検査対象を囲み、前記検査対象の任意の撮影断面を定める直交する２軸の何れか一方の軸上で不均一な感度分布を有することを特徴とする請求項１記載の核磁気共鳴検査装置。
【請求項２８】
鉛直方向に静磁場を発生する手段と、
前記静磁場に置かれた検査対象に印加する励起ＲＦパルスを発生する手段と、
前記静磁場に置かれた前記検査対象に印加する傾斜磁場を発生する手段と、
複数のサブコイルを有して、前記検査対象から発生する核磁気共鳴信号を検出する受信コイルとを具備し、
前記サブコイルは、前記静磁場の方向に垂直な面内に配置される複数の第１コイルと、前記静磁場の方向に平行な軸を含む面内に設置される複数の第２コイルとを含むことを特徴とする核磁気共鳴検査装置。
【請求項２９】
前記複数の第１コイルは前記検査対象を間に挟んで配置され、前記複数の第２コイルの少なくとも一部は前記検査対象を囲むように配置されることを特徴とする請求項２８に記載の核磁気共鳴検査装置。